(57)【要約】【課題】記憶蓄積されたデータファイルの存在をアイコン画像によって表示する場合に、そのアイコン画像からデータファイルのデータ内容を容易に把握し得るようにする。【解決手段】データファイルのデータ内容に基づいて当該データ内容を反映させたアイコン画像を生成するとともに、一つのデータファイルについて複数態様のアイコン画像を生成し得るアイコン生成部１３と、前記複数態様のいずれかを選択する表示態様決定手段１４と、前記データファイルの存在を示すアイコンとして、前記アイコン生成部１３が生成したアイコン画像で、前記表示態様決定手段１４で選択された態様のものを表示する表示部１５と、を備えてアイコン生成装置を構成する。【選択図】図１
2007272880.tif 000002
【特許請求の範囲】
【請求項１】
複数の表示態様から、各データファイルに対して１つの表示態様をユーザが選択できるようにする態様選択部と、
前記各データファイルのアイコンを各データファイルに対して選択された表示態様で表示するための前記各データファイルのアイコンデータを生成するアイコン生成部とを備え、
前記アイコン生成部は各データファイルの生成された前記アイコンデータを出力するアイコン生成装置。
【請求項２】
前記各データファイルのアイコンは前記各データファイルに基づいて生成されたグラフを含む請求項１に記載のアイコン生成装置。
【請求項３】
前記複数の表示態様は、
前記各データファイルを等高線表示するための第１の表示態様と、
前記各データファイルをベクトル表示するための第２の表示態様と、
前記各データファイルを粒子分布表示するための第３の表示態様と、
前記各データファイルを粒子軌跡表示するための第４の表示態様と、
前記各データファイルをグラフ表示するための第５の表示態様と
を含む請求項１に記載のアイコン生成装置。
【請求項４】
前記各データファイルは座標値と複数の種類のデータ値を含み、
前記態様選択部は表示態様として、複数の種類のデータ値からユーザが前記各データファイルに対して１つの種類のデータ値を選択できるようにし、
前記アイコン生成部は前記各データファイルの座標値及び前記各データファイルに対して選択された前記１つの種類のデータ値に基づいてアイコンデータを生成する請求項１に記載のアイコン生成装置。
【請求項５】
前記態様選択部は、表示態様として表示されるべきデータ点の密度を前記各データファイルごとにユーザが入力できるようにし、
前記アイコン生成部は前記各データファイルに対して入力された密度で前記各データファイルのアイコンを表示するための各データファイルのアイコンデータを生成する請求項２に記載のアイコン生成装置。
【請求項６】
前記態様選択部は前記複数の表示態様から、１つの生成されたアイコンデータに対して別の表示態様をユーザが選択できるようにし、
前記アイコン生成部は前記１つの生成されたアイコンに対応するデータファイルの表示態様を選択された別の表示態様へと変更する請求項１に記載のアイコン生成装置。
【請求項７】
前記各データファイルは座標値及びデータ値を含んでおり、
前記アイコン生成部は前記各データファイルの座標値及びデータ値を前記各データファイルに対して入力された前記密度に従って間引き、
前記各データファイルのアイコンデータが間引かれた座標値及び間引かれたデータ値を含むようにアイコン生成部は各データファイルのアイコンデータを生成する請求項１に記載のアイコン生成装置。
【請求項８】
表示部を更に備え、
前記態様選択部は複数の表示態様から前記各データファイルに対して２つ以上の表示態様を選択できるようにし、
前記アイコン生成部は選択された表示態様で前記各データファイルのアイコンを表示するための前記各データファイルのアイコンデータを生成し、
前記アイコン生成部は前記各データファイルのアイコンデータを表示部へ出力し、
前記表示部は前記各データファイルのアイコンの１つを表示装置上に表示し、時間とともに各データファイルの現在表示されているアイコンを、各データファイルの別のアイコンへと変更する請求項１に記載のアイコン生成装置。
【請求項９】
前記各データファイルのアイコンデータが前記各データファイルのアイコンを選択された２つ以上の表示態様で表示するために必要となるデータ値を含むように前記アイコン生成部は前記各データファイルのアイコンデータを生成する請求項８に記載のアイコン生成装置。
【請求項１０】
コンピュータを
複数の表示態様から、各データファイルに対して１つの表示態様をユーザが選択できるようにする態様選択部と、
各データファイルのアイコンを各データファイルに対して選択された表示態様で表示するための各データファイルのアイコンデータを生成するアイコン生成部と、
前記アイコン生成部は前記各データファイルの生成されたアイコンデータを出力するように機能させるアイコン生成プログラム。
【請求項１１】
前記各データファイルのアイコンは前記各データファイルに基づいて生成されたグラフを含む請求項１０に記載のアイコン生成プログラム。
【請求項１２】
前記複数の表示態様は、
前記各データファイルを等高線表示するための第１の表示態様と、
前記各データファイルをベクトル表示するための第２の表示態様と、
前記各データファイルを粒子分布表示するための第３の表示態様と、
前記各データファイルを粒子軌跡表示するための第４の表示態様と、
前記各データファイルをグラフ表示するための第５の表示態様と
を含む請求項１０に記載のアイコン生成プログラム。
【請求項１３】
前記各データファイルは座標値と複数の種類のデータ値を含み、
前記態様選択部は表示態様として、前記複数の種類のデータ値からユーザが各データファイルに対して１つの種類のデータ値を選択できるようにし、
前記アイコン生成部は各データファイルの座標値及び各データファイルに対して選択された前記１つの種類のデータ値に基づいてアイコンデータを生成する請求項１０に記載のアイコン生成プログラム。
【請求項１４】
前記態様選択部は、表示態様として表示されるべきデータ点の密度をデータファイルごとにユーザが入力できるようにし、
前記アイコン生成部は各データファイルに対して入力された密度で各データファイルのアイコンを表示するための前記各データファイルのアイコンデータを生成する請求項１０に記載のアイコン生成プログラム。
【請求項１５】
複数の表示態様から、各データファイルに対して１つの表示態様をユーザが選択できるようにする態様選択ステップと、
各データファイルのアイコンを各データファイルに対して選択された表示態様で表示するための各データファイルのアイコンデータを生成するアイコン生成ステップと、
アイコン生成部は各データファイルの生成されたアイコンデータを出力するステップを有するアイコン生成方法。
【請求項１６】
複数の表示態様から１つの表示態様を選択する表示態様決定部と、
データファイルのデータ内容に基づいて選択された表示態様でグラフを表すアイコン画像を生成し、該アイコン画像には当該データ内容を反映されているアイコン生成部と、を備えるアイコン生成装置。
【請求項１７】
アイコン生成部によって生成され、選択された表示態様のグラフを表すアイコン画像を前記データファイルの存在を示すアイコンとして表示する表示部を更に備える請求項１６に記載のアイコン生成装置。
【請求項１８】
前記アイコン生成部は、前記データファイルのデータ内容を反映させたアイコン画像として、当該データ内容によって特定される画像の全体を縮小した縮小画像を生成する請求項１７記載のアイコン生成装置。
【請求項１９】
前記アイコン生成部は、前記データファイルのデータ内容を反映させたアイコン画像として、当該データ内容によって特定される画像の要部の倍率を変更した要部拡縮画像を生成する請求項１７記載のアイコン生成装置。
【請求項２０】
前記表示部は、複数のデータファイルについてのアイコン画像を同一画面上に表示する場合に、各アイコン画像の表示を、当該各アイコン画像のうちのいずれか一つの態様または所定態様に統一して行うことを特徴とする請求項１８記載のアイコン生成装置。
【請求項２１】
前記表示態様決定分は、前記複数態様についての選択が時間経過に伴って変化するように、当該選択を行い得るものであり、
前記表示部は、前記表示態様決定手段での選択が時間経過に伴って変化するように行われた場合に、前記データファイルの存在を示すアイコン画像として動画を表示する請求項１８記載のアイコン生成装置。
【発明の詳細な説明】
【技術分野】
【０００１】
本発明は、データファイルの存在を示すためのアイコン画像を表示するアイコン表示装
置、アイコン生成プログラムおよびアイコン生成方法に関する。
【背景技術】
【０００２】
近年、ＧＵＩ（Graphical User Interface）技術が広く利用されているが、その中でも特に利用されてものとして、アイコン画像によるオブジェクト表示が挙げられる。すなわち、ＧＵＩ環境下では、データファイルやこれを格納するフォルダ等のオブジェクトが「アイコン」と呼ばれる小さな画像によって表現されることが一般的である。このようなアイコン表示は、コンピュータのみならず、様々な製品分野に適用されている。
その一例として、例えば、波形の測定結果をアイコン画像として抽出し表示する機能を有したデジタル・オシロスコープがある（例えば、特許文献１参照）。このデジタル・オシロスコープによれば、波形の測定結果が記憶蓄積されている場合に、その測定結果の小型レンダリングがアイコン画像としてディスプレイ上に表示されるので、その表示を参照しつつ所望するアイコン画像（所望する測定結果の小型レンダリング）を選択すれば、そのアイコン画像に対応する測定結果がフルサイズでディスプレイ表示されるようになっている。
【０００３】
【特許文献１】特表２００５−５１２０９８号公報
【発明の開示】
【発明が解決しようとする課題】
【０００４】
ところで、ＧＵＩ環境下では、記憶蓄積されたデータファイル等をその記憶蓄積領域から取り出す場合に、所望のデータファイル等を容易に見つけ出せ得ることが望まれている。この点、上述したデジタル・オシロスコープによれば、波形の測定結果の小型レンダリングがアイコン画像として表示されるので、そのアイコン画像を参照することによって、対応する測定結果の概要を把握することが可能となる。
【０００５】
しかしながら、記憶蓄積されるデータファイル等の中には、一つの表示態様のみではそのデータ内容を容易に把握し得ないものも存在する。例えば、ある事象やトラブル等を解析するためのシミュレーションの結果をデータ内容とするデータファイルは、そのデータ内容が複雑であるため、複数態様の表示に拠らなければ、そのデータ内容を的確に把握し得ないこともある。つまり、アイコン画像として単にデータ内容の小型レンダリングを一つの表示態様のみで表示しても、そのアイコン画像がデータ内容を的確に反映させたものであるとは限らない。したがって、従来におけるアイコン画像の表示技術では、必ずしも所望のデータファイル等を容易に見つけ出せるとは言えない。
【０００６】
そこで、本発明は、記憶蓄積されるデータファイル等が複雑なデータ内容のものであっても、所望のデータファイル等を容易に見つけ出すことを可能とし、これによりＧＵＩ操作者（ユーザ）にとっての利便性を向上させることのできるアイコン生成装置、アイコン生成プログラムおよびアイコン生成方法を提供することを目的とする。
【課題を解決するための手段】
【０００７】
本発明は、上記目的を達成するために案出されたアイコン生成装置で、複数の表示態様から、各データファイルに対して１つの表示態様をユーザが選択できるようにする態様選択部と、前記各データファイルのアイコンを各データファイルに対して選択された表示態様で表示するための前記各データファイルのアイコンデータを生成するアイコン生成部とを備え、前記アイコン生成部は各データファイルの生成された前記アイコンデータを出力することを特徴とする。
【０００８】
また、本発明は、上記目的を達成するために案出されたアイコン生成プログラムで、コンピュータを複数の表示態様から、各データファイルに対して１つの表示態様をユーザが選択できるようにする態様選択部と、各データファイルのアイコンを各データファイルに対して選択された表示態様で表示するための各データファイルのアイコンデータを生成するアイコン生成部と、前記アイコン生成部は前記各データファイルの生成されたアイコンデータを出力するように機能させることを特徴とする。
【０００９】
また、本発明は、上記目的を達成するために案出されたアイコン生成方法で、複数の表示態様から、各データファイルに対して１つの表示態様をユーザが選択できるようにする態様選択ステップと、各データファイルのアイコンを各データファイルに対して選択された表示態様で表示するための各データファイルのアイコンデータを生成するアイコン生成ステップと、アイコン生成部は各データファイルの生成されたアイコンデータを出力するステップとを備えることを特徴とする。
【００１０】
上記構成のアイコン生成装置およびアイコン生成プログラム並びに上記手順のアイコン生成方法によれば、データファイルのデータ内容を反映させたアイコン画像を生成して表示するが、そのアイコン画像の生成にあたり一つのデータファイルについて複数態様のアイコン画像を生成し得るとともに、これら複数態様の中から選択された態様のものを表示するようになっている。「複数態様」としては、例えばＸＹ前記空間におけるシミュレーション解析結果をデータ内容とするデータファイルについてのものであれば、ＸＹ断面についての解析結果を表示する態様、Ｙ前記断面についての解析結果を表示する態様、Ｘ前記断面についての解析結果を表示する態様等が挙げられる。つまり、複数態様によるアイコン画像の表示に対応し得るとともに、選択によって当該アイコン画像の表示態様を可変させ得るのである。しかも、表示される態様は、いずれも、データファイルのデータ内容が反映されたものである。したがって、一つの表示態様のみではそのデータ内容を容易に把握し得ない場合であっても、アイコン画像の表示態様を適宜可変させることで、そのデータ内容を的確に把握し得るようになる。
【発明の効果】
【００１１】
以上のように、本発明では、データファイルのデータ内容を反映させたアイコン画像を表示しつつ、そのアイコン画像の表示態様を適宜可変させ得るようになっているので、データファイルのデータ内容が複雑なものであっても、表示されたアイコン画像を参照することで、所望のデータファイルを容易に見つけ出すことが可能となる。したがって、ＧＵＩ操作者（ユーザ）にとっては、非常に利便性の高いものとなる。
【発明を実施するための最良の形態】
【００１２】
以下、図面に基づき本発明に係るアイコン生成装置、アイコン生成プログラムおよびアイコン生成方法について説明する。
【００１３】
先ず、本発明の実施形態に係るアイコン生成装置の概略構成について説明する。なお、本実施形態では、熱流体計算シミュレーションを行う熱流体計算シミュレータにアイコン生成装置を適用した場合、すなわち当該熱流体計算シミュレータがアイコン生成装置である場合を例に挙げて説明する。図１は、熱流体計算シミュレータの概略構成例を示すブロック図である。
【００１４】
図１（ｂ）は本実施形態の熱計算シミュレータのブロック図である。図１（ｂ）に示すように、本実施形態の熱流体計算シミュレータは、熱流体計算シミュレーションの解析結果であるデータファイルを記憶蓄積するデータ保存装置１と、熱流体計算シミュレータの操作者（ユーザ）に対する情報出力を行うためのディスプレイ装置からなる表示装置２と、そのユーザが熱流体計算シミュレータに対する情報入力を行うためのキーボードやマウス等からなる入力装置３と、熱流体計算シミュレーションを行う計算実行装置４と、を備えて構成されている。データ保存装置１はハードディスク（ＨＤＤ）、ＲＡＭ、フラッシュメモリなどによって実現される。計算実行装置４は例えばＣＰＵ（Central Processing Unit）、ＲＡＭ（Random Access Memory）及びＲＯＭ（Read Only Memory）等を有するコンピュータである。
【００１５】
また、図１（ａ）は図１（ｂ）に示された計算実行装置４の機能ブロック図である。計算実行装置４は、図１（ａ）に示すように、シミュレーション部１１およびオペレーティングシステム１２に加えて、アイコン生成部１３、表示態様選択部１４および表示部１５を備えている。
【００１６】
シミュレーション部１１は、データ保存装置１に記憶されたデータやパラメータ及び／または入力装置３で入力されたデータやパラメータ等を基にしつつ、熱流体計算シミュレーションを行う。この熱流体計算シミュレーションについては、公知技術を利用して実行すればよいため、ここではその詳細な説明を省略する。また、シミュレーション部１１が行う処理は、必ずしも熱流体計算シミュレーションである必要はない。例えば、シミュレーション部１１は強度解析シミュレーションや材料物性解析シミュレーションといった他の公知技術によるシミュレーション処理を行ってもよい。
【００１７】
オペレーティングシステム１２は、計算実行装置４全体の動作制御を行う。このオペレーティングシステム１２が行う動作制御の一例としては、データ保存装置１、表示装置２または入力装置３との間のデータ授受に関する制御が挙げられる。
【００１８】
アイコン生成部１３は複数の表示態様でアイコンを生成可能とする。データ記憶装置１に記憶されたそれぞれのデータファイルに対して、表示態様選択部１４は該複数の表示態様の少なくとも１つの表示態様を選択する。表示態様選択部１４は入力装置３を介して入力された情報、すなわち入力装置３を操作するユーザによって入力された指示に基づいて該選択を行ってもよい。言い換えると、表示態様選択部１４はデータ記憶装置１に記憶されたそれぞれのデータファイルに対して、複数の表示態様から少なくとも１つの表示態様をユーザに選択させてもよい。かわりに、表示態様選択部１４は予めの設定（デフォルト設定）に基づいてこの選択を行ってもよい。例えば、データ記憶装置１にデータファイルが記憶される時、すなわちデータファイルが閉じられる時、表示装置２が現在データファイルを表示している表示態様をデフォルト設定として扱ってもよい。この場合、表示態様選択部１４は表示装置２が現在データファイルを表示している表示態様を選択する。また、デフォルト設定はデータファイルのデータフォーマットごとに予め設定されていてもよい。
【００１９】
データ保存装置１が記憶蓄積する各データファイルのデータ内容及びデータファイルごとに選択された少なくとも１つの表示態様に基づいて、そのデータ内容を反映させたアイコン画像を生成する。言い換えると、アイコン生成部１３はデータファイルごとに選択された少なくとも１つの表示態様で各データファイルのアイコンを表示する各データファイルのアイコンデータを生成する。そして、アイコン生成部１３は生成したアイコンデータ（アイコン画像）をオペレーションシステム１４へと出力してもよい。また、アイコン生成部１３は生成したアイコンデータ（アイコン画像）を計算実行装置４のＲＡＭ及びデータ記憶装置１のいずれかに記憶してもよい。データ内容を反映させたアイコン画像としては、詳細を後述するように、例えば当該データ内容によって特定される画像の全体を縮小した縮小画像や、該データ内容によって特定される画像の要部の倍率を変更した要部拡縮画像が挙げられる。ただし、アイコン生成部１３では、一つのデータファイルについて、複数態様のアイコン画像を生成し得るようになっている。複数態様は、それぞれが互いに異なる態様である。ここで、データファイルがＸＹ前記空間におけるシミュレーション解析結果をデータ内容として有しているとする。この場合、ＸＹ断面についての解析結果を表示する表示態様、Ｙ前記断面についての解析結果を表示する表示態様、Ｘ前記断面についての解析結果を表示する表示態様等を複数の表示態様の例として挙げられる。また、複数の表示態様の別の例として、解析結果を等高線表示する表示態様、解析結果をベクトル表示する表示態様、解析結果を粒子分布表示する表示態様、解析結果を粒子軌跡表示する表示態様、解析結果を散布図、線グラフ、棒グラフ、円グラフ、レーダーチャート等各種グラフ表示する表示態様も挙げられる。表示態様選択部１４がデータファイル（解析結果）ごとに前者の例から１つの表示態様を、後者の例から１つの表示態様を選択し、アイコン生成部１３が選択された両方の表示態様で各データファイルのアイコンを表示する各データファイルのアイコンデータを生成してもよい。この例においては、前者の例のいずれの表示態様と後者の例のいずれの表示態様であっても互いに相容れることができる。また、シミュレーション部１１が２次元平面上のシミュレーションを行う場合、表示態様選択部１４は後者の例から１つの表示態様を選択するものの、前者の例からは選択しない。
【００２０】
表示部１５は、データ保存装置１におけるデータファイルの存在を示すアイコンとして、アイコン生成部１３が生成した各データファイルのアイコン画像を、表示態様選択部１４で選択された表示態様で、表示装置２のディスプレイ画面上に表示させるアイコン生成部によって生成された各データファイルのアイコンデータに基づいてオペレーションシステム１２が各データファイルのアイコンを表示できる場合、計算実行装置４に表示部１５を設けなくてもよい。例えば、データファイルのアイコンデータが静止アイコン画像を表しており、オペレーションシステム１２に適合している場合、オペレーションシステム１２はこのアイコンデータに基づいてデータファイルのアイコンを表示できる。これに対して、アイコン生成部が動画のように時間とともに画像を変化させるアイコンを表すアイコンデータを生成する場合（このようなアイコンデータの生成については後述）、既存のオペレーションシステムの大半はこのようなアイコンデータをサポートしてない。この場合、表示部１５が計算実行装置４に設けられる。
【００２１】
以上に説明したシミュレーション部１１、オペレーティングシステム１２、アイコン生成部１３、表示態様選択部１４および表示部１５は、計算実行装置４におけるコンピュータとしての機能が、所定プログラムを実行することによって実現されるものである。その場合に、当該所定プログラムは、計算実行装置４へのインストールに先立ち、コンピュータ読み取り可能な記憶媒体に格納されて提供されるものであっても、または有線若しくは無線による通信手段を介して配信されるものであってもよい。つまり、本実施形態で説明するアイコン生成装置は、熱流体計算シミュレータにおける計算実行装置４にインストール可能なアイコン生成プログラムによって実現することが可能である。
【００２２】
次に、以上のような構成の熱流体計算シミュレータ（すなわちアイコン生成装置、アイコン生成プログラムによって実現される場合を含む）における処理動作例、すなわち本発明に係るアイコン生成方法について説明する。
【００２３】
熱流体計算シミュレータでは、シミュレーション部１１が熱流体計算シミュレーションを行うと、そのシミュレーション処理の結果であるデータファイルをデータ保存装置１が記憶蓄積する。このとき、データファイルには、固有のファイル名を付与してもよい。そして、データ保存装置１がデータファイルを記憶蓄積すると、その後の時点で、記憶蓄積されたデータファイルをデータ保存装置１から取り出して表示装置２を通じて出力することで、例えばユーザがそのデータファイルの内容についてより詳細に検討するといったことを行い得るようになる。このとき、ユーザがデータ保存装置１からの取り出しを所望するデータファイルについての指定は、表示装置２のディスプレイ画面上に各データファイルに対応するアイコン画像を一覧表示し、その中からいずれかのアイコン画像を入力装置３の操作を通じてユーザに選択させることで行うものとする。
【００２４】
図２は、アイコン画像の表示具体例を示す説明図である。図例では、ディスプレイ画面上に表示されるウインドウ画面内の所定領域に、「case1」、「case2」、「case3」というファイル名のデータファイルのそれぞれに対応する三つのアイコン画像Ａ〜Ｃを一覧表示している場合を示している。
【００２５】
図２のようなアイコン画像Ａ〜Ｃの表示を行う際には、先ず、アイコン生成部１３がデフォルトの表示態様でアイコン画像それぞれを表示する「case1」〜「case3」のデータファイルのアイコンデータを生成する。シミュレーション部１１がシミュレーション結果として各データファイルを出力した後で、アイコン生成部１３は各データファイルのアイコンデータ（例えばアイコン画像Ａ〜Ｃ）を生成し、生成したアイコンデータを対応するデータファイルに埋め込み、データファイルをデータ記憶装置１に記憶する。生成したアイコンデータを埋め込むかわりに、アイコン生成部１３は生成したアイコンデータを対応するデータファイルと関連づけて、データ記憶装置１に記憶してもよい。また、表示装置２のディスプレイ画面上へ表示するウインドウ画面の生成に合わせてアイコン生成部１３がアイコンデータ（例えば、アイコン画像Ａ〜Ｃ）を生成してもよい。いずれの場合でも、シミュレーション部１１がシミュレーション結果として新しいデータファイルを出力すると、新しいデータファイルのアイコン画像が表示されるべきウインドウ画面が生成される前に、アイコン生成部１３が新しいデータファイルのアイコンデータを生成する。
【００２６】
また、データ内容がアイコンデータに反映されるように、データファイルのデータ内容に基づいてアイコン生成部１３はアイコンデータを生成する。具体的には、アイコン生成部１３は以下のようアイコンデータを生成する。例えば、データ保存装置１内に記憶蓄積されたデータファイル取り出し、開く時、シミュレーション部１１は必要に応じてデータファイルに処理を施し、データファイルを表示装置２のディスプレイ画面上に表示する。このときのシミュレーション部１１がデータファイルを表示画面上に表示する表示態様は、シミュレーション部１１のアプリケーション種類に依存する。一般には、シミュレーション部１１はデータファイルのデータ内容を図表化して表示することが多い。したがって、アイコンデータを生成する際にも、データファイルのデータ内容を図表化して出力する（表示する）場合と同様の手法を用いて、アイコン生成部１３はデータ内容に基づいてビットマップ画像を生成してもよい。生成するビットマップ画像は、データ内容によって特定される画像（図表化される出力画像）の全体を縮小した縮小画像であってもよい。また、生成するビットマップ画像は当該出力画像の要部（図表の特徴的な部分）の倍率を変更した要部拡縮画像（特に、要部拡大画像）であってもよい。アイコン性西部１３がこのようなビットマップ画像を生成することで、その生成結果であるアイコン画像には、それぞれが対応するデータファイルのデータ内容が反映されたる。具体的には、生成されたアイコン画像は当該データ内容の概要または特徴をユーザが視認し得るようにする。なお、生成するアイコン画像は、必ずしもビットマップ画像である必要はなく、他のデータ形式のものであってもよいことは勿論である。
【００２７】
さらに、アイコン生成部１３は一つのデータファイルに対して複数の表示態様でアイコン画像を表示するアイコンデータを生成してもよい。例えば、データ保存装置１からデータファイルを取り出し、表示装置２のディスプレイ画面上で表示する場合、一般にシミュレーション部１１は互いに異なる複数の表示態様で取り出したデータファイルを表示できることが多い。具体的には、例えばデータ内容として、データファイルがＸＹ前記空間におけるシミュレーション解析結果を有しているとする。この場合、上記の複数の表示態様は、ＸＹ断面についての解析結果を表示する表示態様、Ｙ前記断面についての解析結果を表示する表示態様、Ｘ前記断面についての解析結果を表示する表示態様を含む。したがって、これと同様の考え方で、アイコン生成部１３が複数の表示態様でアイコン画像を表示するためのアイコンデータを生成できてもよい。
【００２８】
ただし、一つのデータファイルについて、アイコン生成部１１がアイコン画像を複数の表示態様で表示するためのアイコンデータを生成可能であると、どの表示態様でアイコン画像を表示装置２のディスプレイ画面上に表示すべきか決定する必要が生じる。各アイコン画像は対応するデータファイルの存在を示しているため、一つのデータファイルに一つのアイコン画像がすべきである。
【００２９】
どの表示態様でデータファイルのアイコン画像が表示されるかは、（ｉ）アイコンデータが生成される前に表示態様が選択される第１の方法及び（ｉｉ）アイコンデータが生成された後に表示態様が選択される第２の方法のいずれかによって決定されてもよい。第１の方法では、表示態様選択部１４はユーザが複数の表示態様から各データファイルに対して１つの表示態様を選択できるようにし、それからアイコン生成部１３が各データファイルに対して選択された表示態様で各データファイルのアイコンを表示する各データファイルのアイコンデータを生成する。表示態様選択部１４のインターフェース画面の具体例については後述する。アイコンデータの生成前にユーザが表示態様選択部１４を介して複数の表示態様のいずれをも選択していない場合、アイコン生成部１３はデフォルト表示態様（デフォルト設定）でアイコン画像を表示するアイコンデータを生成する。第１の方法では、アイコン生成部１３は一つのデータファイルに対して、選択された表示態様でアイコン画像を表示する一つのアイコンデータを生成する。
第２の方法では、表示態様選択部１４は、アイコン生成部１３によって既に複数のアイコン画像が生成されているデータファイルに対して、複数の表示態様から一つの表示態様を選択する。表示態様選択部１４はユーザの指示またはデフォルト設定に基づいて表示モードを選択してもよい。第２の方法では、アイコン生成部１３が複数の表示態様それぞれで一つのデータファイルのアイコン画像を表示する複数のアイコンデータを生成し、それから表示態様選択部１４は複数のアイコンデータから一つのアイコンデータを選択する、すなわち、複数の表示態様から一つの表示態様を選択する。選択がなされた後に、アイコン生成部は選択されたアイコンデータ以外の残りのアイコンデータを削除する。
図３は、データファイル別に個別の表示態様が予めユーザによって指示されている例を示している。ここで、データファイル別の表示態様は、ユーザが任意に指示してもよい。かわりに、予めデフォルトとなる態様が設定されていてもよい。例えば、表示態様選択部１４は前回のデータ内容が閲覧された時に最後に表示された図表化画像の縮小画像をデフォルト設定として採用してもよい。また、一度も表示出力されたことのないデータファイルであれば、表示態様選択部１４はデータ形式に応じてデフォルト表示態様として設定された表示態様を自動で選択してもよい。さらには、表示態様選択部１４は複数の表示態様からデフォルト表示態様をユーザが選択できるようにしてもよい。
次に、表示態様選択部１４のインターフェース画面の例を説明する。ユーザが表示態様を選択できるようにするために、図４に示すように表示態様選択部１４は表示装置２の表示画面上にインターフェース画面５０を表示する。ユーザは入力装置３を介してインターフェース画面５０を操作することができる。ユーザインターフェース画面５０は、サブ画面５１、「ＯＫ」ボタン５２、「キャンセル」ボタン５３、「Display Style」用のプルダウンメニュー５４、「Data Field」用のプルダウンメニュー５５、「Surface」用のプルダウンメニュー５６、「Show Icon View」ボタン５７、「Set Icon View」ボタン５８及びスライドバー５９を有している。プルダウンメニュー５４は複数の表示スタイルから１つの表示スタイルを選択するために用いられる。この例では、複数の表示スタイルは（ｉ）等高線表示、（ｉｉ）ベクトル表示、（ｉｉｉ）粒子分布表示、（ｉｖ）粒子軌跡表示及び（ｖ）グラフ表示を含んでいる。プルダウンメニュー５５は、アイコン画像の設定が行われているデータファイルが座標フィールドに加えて複数の種類のデータフィールドを含む場合に、少なくとも１つの種類のデータフィールドを選択するために用いられる。例えば、シミュレーション部１１が熱流体シミュレーションを実行する場合、シミュレーション結果のデータファイルの複数の種類のデータフィールドは流速、圧力、温度、粘土及び比重を含む。シミュレーション部１１が構造解析シミュレーションを実行する場合、複数の種類のデータフィールドは例えば、変位、ヤング率及びポアソン比を含む。また、シミュレーション部１１が電界解析シミュレーションを実行する場合、複数の種類のデータフィールドは例えば、電位、電荷密度、導電率及び誘電率を含む。シミュレーション結果のデータファイルの具体例については後述する。プルダウンメニュー５６は複数の面から１つの面を選択するために用いられる。サブ画面５１は選択された面に沿って切断されたデータファイルの断面を表示する。例えば、シミュレーション部１１があるシミュレーションをＸＹ前記空間で行う場合、複数の断面はＸＹ平面、Ｙ前記平面、Ｘ前記平面を含む。スライドバー５９はアイコン画像を生成するデータ点の濃度を指定するために用いられる。
データファイルのアイコンデータを生成する際には、まずユーザが図示されていないユーザインターフェース（表示態様選択部１４によって提供されていてもよい）を介して、データ記憶装置１に記憶されている１つのデータファイルを選択する。ここで、既に生成されたアイコンの表示態様を現在の表示態様から別の表示態様に変更するために、ユーザは既に生成されたアイコンを選択してもよい。この場合、表示態様選択部１４はデータ記憶装置１から選択されたアイコンに対応するデータファイルを読み出す。
そして、ユーザはプルダウンメニュー５４から１つの表示スタイルを選択し、プルダウンメニュー５５から１つのデータフィールドを選択し、プルダウンメニュー５６から１つの面を選択する。その後に、ユーザが「Show Icon View」ボタン５７を押すと、選択された表示スタイル、データファイルの座標フィールド、データファイルの選択された種類のデータフィールド及び選択された面に基づいて、アイコン生成部１３が選択されたデータファイルの一時的なアイコン画像を生成する。言い換えると、一時的なアイコン画像は、選択された表示スタイルで、データファイルの選択された種類のデータフィールドを選択された面で切断した断面を表示している。そして、表示態様選択部１４は選択されたデータファイルの一時的なアイコン画像をサブ画面５１に表示する。例えば、ユーザが表示スタイルとして「等高線表示」を、データフィールドとして「速度」を、面として「ＸＹ平面」を選択した場合、図４に示す一時的なアイコン画像が表示態様選択部１４のサブ画面５１に表示される。この一時的なアイコン画像は等高線表示（選択された表示スタイル）で、速度（選択された種類のデータフィールド）のＸＹ断面（選択された面で切断された断面）を表示している。図４に示される状態でユーザがさらに「Set Icon View」ボタン５８を押すと、アイコン生成部１３は一時的なアイコン画像を選択されたデータファイルと関連付け、選択されたデータファイルのアイコンデータとして一時的なアイコン画像をデータ記憶装置１に記憶する。関連付けるかわりに、アイコン生成部１３はアイコンデータ（一時的なアイコン画像）を選択されたデータファイルに埋め込み、該データファイルをデータ記憶装置１に記憶してもよい。また、アイコン生成部１３はデータファイルから座標フィールド（後述）及び選択された種類のデータフィールドを抽出して、抽出したデータをアイコンデータとしてデータ記憶装置１に記憶してもよい。すなわち、「アイコンデータ」はbitmap、jpeg、gifなどの画像データに限られるものではなく、アイコンを生成するのに必要とされるデータ（上記抽出データ）でもよい。
データファイルのアイコンデータが生成された後で該データファイルを含むフォルダが開かれると、表示部１５が図５に示される画面を表示装置２に表示する。すなわち、表示部１５はデータファイルのアイコンデータによって表されるアイコン画像を表示する。この例では、図５に示されるアイコン画像は図４のサブ画面５１に表示された一時的なアイコン画像全体の縮小画像である。しかし、アイコン生成部１３によって生成されるアイコン画像（アイコンデータ）はこの例に限定されず、図４に示される一時的なアイコン画像の主要部分６０の拡大または縮小画像であってもよい。さらに、表示態様選択部１４はサブ画面内の主要部分６０の範囲をユーザが任意に設定できるようにしてもよい。
一方、ユーザが表示スタイルとして「ベクトル表示」を、データフィールドの種類として「速度」を、面として「ＸＹ平面」を選択して「Show Icon View」ボタン５７を押すと、サブ画面５１に図６に示される選択されたデータファイルの一時的なアイコン画像が表示される。図６の状態でユーザが「Set Icon View」ボタン５８を押すと、アイコン生成部１３は一時的なアイコンデ画像を選択されたデータファイルと関連付け、選択されたデータファイルのアイコンデータとして一時的なアイコン画像をデータ記憶装置１に記憶する。このデータファイルを含むフォルダが開かれると、表示部１５は図７に示されるような画面を表示装置２に表示する。
図６に示される状態において、ユーザがスライドバー５９を右端（データ点の密度が最も高い）から中央の位置へとスライドさせ、「Show Icon View」ボタン５７を押すと、図８に示されるような選択されたデータファイルの一時的なアイコン画像が表示される。図８において、一時的なアイコン画像は図６よりも少ないデータ点で描かれている。
アイコン生成部１３によって生成されるアイコン画像の別の例を図９に示す。図９Ａは表示スタイルとして「等高線表示」を、データフィールドの種類として「速度」を、面として「ＸＹ平面」を選択して生成されたアイコン画像である。すなわち、図４のサブ画面５１に示される一時的なアイコン画像と同一のアイコン画像である。図９Ｂは表示スタイルとして「ベクトル表示」を、データフィールドの種類として「速度」を、面として「ＸＹ平面」を選択して生成されたアイコン画像である。図９Ｂに示されるアイコン画像は、図９Ａに示されるアイコン画像と表示スタイルが異なっている。図９Ｃは表示スタイルとして「等高線表示」を、データフィールドの種類として「温度」を、面として「ＸＹ平面」を選択して生成されたアイコン画像である。図９Ｃに示されるアイコン画像は、図９Ａに示されるアイコン画像と選択されたデータフィールドの種類が異なっている。図９Ｄは表示スタイルとして「等高線表示」を、データフィールドの種類として「圧力」を、面として「ＸＹ平面」を選択して生成されたアイコン画像である。図９Ｅは図９Ｂに示されるアイコン画像の一部を拡大して生成されたアイコン画像である。すなわち、表示態様選択部１４を介してユーザが図９Ｂに示される主要部分６０’を設定すると、アイコン生成部１３は図９Ｂに示されるアイコン画像に基づいて、図９Ｅに示されるアイコン画像を生成する。図９Ｆは表示スタイルとして「等高線表示」を、データフィールドの種類として「圧力」を、面として「Ｙ前記平面及び２つの平行な平面」を選択して生成されたアイコン画像である。この例では、表示態様選択部１４はユーザがＹ前記平面に平行な２つの平面を指定できるようにしてもよい。
次にデータファイルの具体例を、図１０を参照して説明する。図１０に示されるデータファイルは座標フィールド（ｘ、ｙ、前記座標を含む）及び７種類のデータフィールド（すなわち、流速、圧力、温度、粘度、比重、熱伝導率及び比熱）を有する。ユーザがこのデータファイルを選択すると、プルダウンメニュー５５には上記の７種類のデータフィールドが一覧表示され、プルダウンメニュー５６には少なくとも３つの面すなわちＸＹ平面、Ｙ前記平面、Ｘ前記平面が一覧表示される。
ユーザがプルダウンメニュー５４から「等高線表示（contour）」を、プルダウンメニュー５５から「温度」を、プルダウンメニュー５６から「ＸＹ平面」を選択し、「Set Icon View」ブタン５８を押した時、アイコン生成部１３はアイコンデータの生成するための最小限のデータを少なくとも含む、例えば図１１に示すようなサブデータファイルを生成し、サブデータファイルをアイコンデータとしてデータ記憶装置１に保存してもよい。図１１に示されるサブデータファイルは座標フィールドと選択されたデータフィールド（すなわち「温度」フィールド）を含んでいる。アイコン生成部１３はサブデータファイルをアイコンデータ（bmp、jpeg、gifなどの画像データ）とは異なるファイルとして生成してもよい。
【００３０】
このようにして、一つの表示態様（表示スタイル、データフィールドの種類、面、データ点の密度および主要部分６０の一つの組み合わせ）が表示態様選択部１４を介して各データファイルに対して選択され、設定されると、表示部１５は、各データファイルに対して選択された表示態様で各データファイルのアイコン画像を表示する。すなわち、表示部１５は表示装置２に表示されるウインドウ画面内の所定領域に、アイコン生成部１３が生成し、各データファイルのアイコン画像を表示態様選択部１４で選択された表示態様で表示するためのアイコンデータに基づいて、各データファイルのアイコン画像を表示する。表示されたアイコン画像はデータ保存装置１に対応するデータファイルが存在することを示す。これにより、例えばデータ保存装置１に三つのデータファイルが存在していれば、これらに対応する三つのアイコン画像Ａ〜Ｃが一覧表示されることになる。
【００３１】
ところで、一覧表示されるアイコン画像Ａ〜Ｃは、表示態様選択部１４で選択された表示態様で表示される。しかし、必ずしも全てのアイコン画像に対して同一の表示態様が選択されるとは限らない。その一方で、それぞれのデータファイルにおけるデータ内容が相互に関係する場合には、アイコン画像Ａ〜Ｃの表示態様が統一されていると、ユーザがデータファイル間の相互関係を容易に把握できることがある。
【００３２】
そこで、複数のアイコン画像Ａ〜Ｃを一覧表示する際に、表示部１５がアイコン画像Ａ〜Ｃの表示態様を統一して、アイコン画像を表示装置２上に表示してもよい。図２では、アイコン画像が統一された表示態様で表示されている。すなわち、図２は、「case1」、「case2」、「case3」のデータファイルに対応するアイコン画像が同一の表示態様で表示されている。
【００３３】
アイコン画像Ａ〜Ｃの表示後に、ユーザが入力装置３を介して所定操作を行った時に、その所定操作に応じて表示部１５がアイコン画像Ａ〜Ｃの表示態様を統一してもよい。必要であれば、表示部１５は統一した表示態様で各データファイルのアイコン画像を表示するためのアイコンデータを生成するようアイコン生成部１３に要求してもよい。また、アイコン画像Ａ〜Ｃの表示前に、既にユーザが表示態様を統一するよう入力装置３を介して設定している場合には、表示部１５はアイコン画像Ａ〜Ｃを表示する際に表示態様を統一してもよい。例えば、表示部１５はWindows（登録商標）のExplorerの「表示」メニューに「アイコンの表示態様を統一する」を追加してもよい。この場合、ユーザが「アイコンの表示態様を統一する」機能を選択すると、表示部１５はアイコン画像の表示態様をどの表示態様（例えば、表示スタイル、データフィールドの種類、面およびデータ点の密度）に統一するか入力するようユーザに要求する。
【００３４】
また、表示部１５は、入力装置３を操作するユーザからの指示に従って、一覧表示されるアイコン画像Ａ〜Ｃの表示態様のいずれか一つの表示態様に統一してもよい。すなわち、アイコン画像Ａ〜Ｃのいずれかをユーザが入力装置３を操作して選択すると、表示態様選択部１４は、アイコン画像Ａ〜Ｃの表示態様を選択されたアイコン画像の表示態様に統一する。ユーザが表示態様を統一するよう指示または設定しているにも拘らず、表示態様を選択していない場合、表示部１５は所定の表示態様にアイコン画像の表示態様を統一してもよい。例えば、所定の表示態様は左端に表示されたアイコン画像の表示態様であってもよい。また、所定の表示態様は予めデフォルト表示態様として設定されていてもよい。
【００３５】
このように、各アイコン画像Ａ〜Ｃは、表示後においても、その表示態様を変更することが可能である。ただし、表示態様の変更は、必ずしも各アイコン画像Ａ〜Ｃの表示態様を統一する場合のみには限られない。すなわち、表示態様を統一しない場合であっても、アイコン画像Ａ〜Ｃの表示後における表示態様を変更できるようにしてもよい。その場合、一覧表示されたアイコン画像Ａ〜Ｃから、入力装置３を操作するユーザがいずれかを選択し、かつ、新しい表示態様を指示すると、アイコン生成部１３がアイコン画像Ａ〜Ｃから選択された一つに対応するデータファイルのアイコン画像を新たな表示態様で表示するためのアイコンデータを再生成する。
【００３６】
また、表示部１５はＧＩＦアニメーションのように、あるデータファイルに対する一のアイコン画像を時間とともに別のアイコン画像に変更してもよい。アイコン画像をアニメーションのように表示するために、ユーザは異なる表示態様（すなわち、表示スタイル、データフィールドの種類、面、データ点の密度および主要部分６０の異なる組み合わせ）を表示態様選択部１４を介して予め選択して、アイコン画像生成部１３が該データファイルに対して複数のアイコンデータを生成するようにする。例えば、ユーザが図４を１つの表示態様として選択し、図６を別の表示態様として選択すると、アイコン画像生成部１３は１つのデータファイルに対して２つのアイコンデータを生成する。この場合、表示部１５は該データファイルに対する２つのアイコン画像を時間とともに切り替える。
なお、アイコン生成部はアイコンデータとして画像データ（例えば、bitmap、jpg、gifなど）を生成せず、上記のサブデータファイルを生成してもよい。例えば、ユーザがデータファイルのアイコンを、流速分布と温度分布を時間とともに切り替えながら表示することを望んでいるとする。この場合、ユーザはプルダウンメニュー５５から「流速」及び「温度」を選択する。アイコン生成部１３は例えば図１０に示されるデータファイルから座標フィールド、「流速」フィールド、「温度」フィールドを抽出して、図１３に示されるサブデータファイルを生成し、生成したサブデータファイルをデータ記憶装置１に記憶する。データファイルのアイコンを表示する際、表示部１５はアイコン生成部１３にサブデータファイルからデータファイルのアイコンを生成するように要求し、アイコン生成部１３によって生成されたアイコンを表示部２の表示画面に表示する。
また、表示態様選択部１４が、アイコン画像の表示態様についての選択を、時間経過に伴って所定規則に沿いつつ自動的に変化させるものであれば、アイコン生成部１３は表示態様選択部１４の自動選択に従ってアイコンデータを生成し、表示部１５は、データファイルの存在を示すアイコン画像として動画を表示する。
【００３７】
ところで、表示態様選択部１４が所定の規則に従って表示態様を選択してアイコン画像Ａ〜Ｃ（図１、２参照）の表示態様を時間とともに変化させる場合、表示態様選択部１４が自動的に選択する度に、アイコン生成部１３がアイコンデータを生成することになる。そのため、表示態様の変更頻度が高くなると、アイコン生成部１３に対する処理負荷が増大してしまうことが懸念される。このことから、アイコン生成部１３は次のようにアイコンデータを生成してもよい。
【００３８】
例えば、アイコン生成部１３がアイコンデータとしてビットマップ画像を生成すると、アイコン生成部１３はそのビットマップ画像を保存して再利用してもよい。ビットマップ画像の再利用を図るようにすれば、アイコン生成部１３でのアイコン画像生成の処理負荷軽減が可能となる。ところが、表示態様選択部１４が上記の自動選択を行い、ビットマップ画像を保存して再利用する場合、アイコン生成部１３は時間とともに表示態様を変更することに容易に対応することができない。そこで、時間とともに表示態様を変更することに対応するために、アイコン画像生成部１３はアイコン画像を生成するのに必要となる最小限データをデータファイルから抽出して保持してもよい。
【００３９】
具体的には、アイコン生成部１３がアイコン画像を生成するのに必要となる最小限データをデータファイルから抽出するデータ抽出部と、データ抽出部が抽出した最小限データを保持するデータ保持部とを備えるように熱流体計算シミュレータを構成する。例えば、データ抽出部は上記所定の規則によって特定されるデータ点の密度に従ってデータファイルから少なくとも最小限のデータを抽出してもよい。表示部１５がアイコン画像を表示する際に、データ保持部によって保持されている最小限のデータを用いてアイコン生成部１３がアイコン画像を生成するアイコン生成部１３。つまり、表示態様選択部１４が所定の規則に従って自動的に表示態様を選択し、アイコン画像の表示態様が時間とともに変化される場合、画像再作成のためのアイコン生成部１３に対する負荷を軽減すべく、例えばデータファイルを構成する元のデータを間引いて得られるアイコン作成用の最小限データを保持する機能をアイコン生成部１３に設けておく。
【００４０】
このようにすれば、アイコン画像の表示態様を時間とともに変化させることに容易かつ柔軟に対応することを可能にしつつ、そのアイコン画像の再作成のためのスキャンデータ量が削減される。その結果、アイコン画像再作成のためのアイコン生成部１３に対する処理負荷軽減を図ることができる。なお、データ抽出手段およびデータ保持部は、他の各部１１〜１５と同様に、所定プログラムの実行により実現すればよい。また、最小限データの保持領域も特に限定されることはなく、元のデータファイルとの関連が明確化されていれば、当該データファイルに付随して保持してもよいし、当該データファイルとは全く別に保持してもよい。さらに、最小限データとして抽出するデータ内容についても、アイコン画像を生成するのに必要となる最小限のものであれば、特に限定されるものではない。
【００４１】
以上に説明したように、本実施形態における熱流体計算シミュレータ（すなわちアイコン生成装置、アイコン生成プログラムによって実現される場合を含む）およびその処理動作例（すなわちアイコン生成方法）によれば、複数態様によるアイコン画像の表示に対応し得るとともに、選択によって当該アイコン画像の表示態様を可変させ得るようになっており、しかも表示される態様はいずれもデータファイルのデータ内容が反映されたものであることから、一つの表示態様のみではそのデータ内容を容易に把握し得ない場合であっても、アイコン画像の表示態様を適宜可変させることで、そのデータ内容を的確に把握し得るようになる。つまり、例えば熱流体計算シミュレーションの解析結果といったようなデータファイルのデータ内容が複雑なものであっても、表示されたアイコン画像を参照することで、所望のデータファイルを容易に見つけ出すことが可能となる。したがって、ユーザ（ＧＵＩ操作者）にとっては、非常に利便性の高いものとなる。
【００４２】
特に、本実施形態で説明したように、アイコン画像として縮小画像または要部拡縮画像を生成すれば、データファイルのデータ内容を反映させたそのデータ内容の把握を容易化する上で非常に好適なものとなる。縮小画像はデータファイルのデータ内容を全体的に反映させたものであり、また要部拡縮画像はそのデータ内容の要部に着目して反映させたものだからである。
【００４３】
さらに、本実施形態で説明したように、複数のアイコン画像の表示態様について統一化を行った場合には、それぞれのデータファイルにおけるデータ内容が相互に関係していても、その相互関係について容易に把握し得るようになるので、データ内容把握の容易化を図る上でより一層好適なものとなる。このことは、本実施形態で説明したような動画によるアイコン画像の表示を行う場合についても、全く同様のことが言える。
【００４４】
また、本実施形態で説明したように、アイコン画像を表示する際に、そのアイコン画像の生成を、最小限データを用いて行うようにすれば、アイコン画像の表示態様の可変に容易かつ柔軟に対応することが可能になる。その上、アイコン画像の作成のための処理負荷の軽減を図ることもできるようになる。
【００４５】
なお、本実施形態では、本発明の好適な実施具体例について説明したが、本発明はその内容に限定されるものではなく、その要旨を逸脱しない範囲で適宜変更することが可能である。例えば、本実施形態では、熱流体計算シミュレーションを行う熱流体計算シミュレータに本発明を適用した場合を例に挙げて説明したが、熱流体計算シミュレーション以外のシミュレーション解析処理を行うものは勿論、各種診断処理を行う診断装置や、各種測定を行う測定装置であっても、処理結果（診断結果や測定結果等）についてのデータファイルの存在をアイコン画像によって表示する機能を有したものであれば、全く同様に本発明を適用することで、そのアイコン画像によるデータ内容の把握容易性を向上させることが可能である。
【図面の簡単な説明】
【００４６】
【図１】本発明の実施形態に係わる熱流体計算シミュレータの概略構成例を示すブロック図である。
【図２】アイコン画像の表示具体例を示す説明図であり、アイコン画像の表示態様が統一されている。
【図３】アイコン画像の表示具体例を示す説明図であり、アイコン画像の表示態様が互いに異なっている。
【図４】表示態様選択部１４によって表示装置２の表示画面上に表示されるインターフェース画面の例を示す図である。
【図５】アイコン生成部１３によって生成されたアイコン画像を表示部１５が表示した例を示す図である。
【図６】表示態様選択部１４によって表示装置２の表示画面上に表示されるインターフェース画面の別の例を示す図である。
【図７】アイコン生成部１３によって生成されたアイコン画像を表示部１５が表示した別の例を示す図である。
【図８】表示態様選択部１４によって表示装置２の表示画面上に表示されるインターフェース画面の更に別の例を示す図である。
【図９】アイコン生成部１３によって生成されるアイコン画像の例を示す図である。
【図１０】データファイルの例を示す図である。
【図１１】アイコンデータを生成するための最小限のデータを少なくとも含むサブデータファイルの例を示す図である。
【図１２】表示態様選択部が所定の規則に従って表示態様を選択するときに実行される間引き処理を説明する図である。
【図１３】動画のようにアイコンを表示するために用いられるアイコンデータの例を示す図である。
【符号の説明】
【００４７】
１…データ保存装置、２…表示装置、３…入力装置、４…計算実行装置、１１…シミュレーション部、１２…オペレーティングシステム、１３…アイコン生成部、１４…表示態様選択部、１５…表示部、Ａ，Ｂ，Ｃ…アイコン画像
【図１】
2007272880.tif 000003
【図２】
2007272880.tif 000004
【図３】
2007272880.tif 000005
【図４】
2007272880.tif 000006
【図５】
2007272880.tif 000007
【図６】
2007272880.tif 000008
【図７】
2007272880.tif 000009
【図８】
2007272880.tif 000010
【図９】
2007272880.tif 000011
【図１０】
2007272880.tif 000012
【図１１】
2007272880.tif 000013
【図１２】
2007272880.tif 000014
【図１３】
2007272880.tif 000015